(57)【要約】【課題】濾材及びシール部材の交換時の作業効率を高め得るとともに、キャップ及びケースの間のシール性能の信頼性を高めることができるオイルフィルタを提供する。【解決手段】本オイルフィルタ１は、一端側が開口する有底筒状のケース２と、ケースに対する軸心Ｃ回りの回転操作によりケースに締結されるキャップ３と、ケース及びキャップの間に形成される濾過室Ｓ内に収容される濾過エレメント４と、を備える。そして、上記濾過エレメントは、その軸心がケースの軸心に略一致して濾過室内に収容される筒状の濾材１４と、濾材の軸方向のキャップ側の端面側に該端面側を封止するように接合される濾材端板１５と、を備える。さらに、上記濾材端板の外周側に形成された装着部１７には、ケースの開口端側の内周面に圧接する環状のシール部材１８が装着されている。【選択図】図１
2016016381.tif 000002
【特許請求の範囲】
【請求項１】
一端側が開口する有底筒状のケースと、前記ケースに対する軸心回りの回転操作により該ケースに締結されるキャップと、前記ケース及び前記キャップの間に形成される濾過室内に収容される濾過エレメントと、を備えるオイルフィルタであって、
前記濾過エレメントは、
その軸心が前記ケースの軸心に略一致して前記濾過室内に収容される筒状の濾材と、
前記濾材の軸方向の前記キャップ側の端面側に該端面側を封止するように接合される濾材端板と、を備え、
前記濾材端板の外周側に形成された装着部には、前記ケースの開口端側の内周面に圧接する環状のシール部材が装着されていることを特徴とするオイルフィルタ。
【請求項２】
前記キャップの筒状部の内周側には、締結部が形成され、前記ケースの筒状部の外周側には、前記締結部が締結する被締結部が形成されている請求項１記載のオイルフィルタ。
【請求項３】
前記濾材端板には、前記ケースから前記キャップを取り外したときに露出する位置に、前記ケース内から前記濾過エレメントを取り出すための取出し部が設けられている請求項１又は２に記載のオイルフィルタ。
【請求項４】
一端側が開口する有底筒状のケースと、前記ケースに対する軸心回りの回転操作により該ケースに締結されるキャップと、を備えるオイルフィルタに使用され、前記ケース及び前記キャップの間に形成される濾過室内に収容される濾過エレメントであって、
その軸心が前記ケースの軸心に略一致して前記濾過室内に収容される筒状の濾材と、
前記濾材の軸方向の前記キャップ側の端面側に該端面側を封止するように接合される濾材端板と、を備え、
前記濾材端板の外周側に形成された装着部には、前記ケースの開口端側の内周面に圧接する環状のシール部材が装着されていることを特徴とする濾過エレメント。
【発明の詳細な説明】
【技術分野】
【０００１】
本発明は、オイルフィルタ及び濾過エレメントに関し、さらに詳しくは、濾材及びシール部材の交換時の作業効率を高め得るとともに、キャップ及びケースの間のシール性能の信頼性を高めることができるオイルフィルタ及び濾過エレメントに関する。
【背景技術】
【０００２】
従来のオイルフィルタとして、例えば、図７に示すように、一端側が開口する有底筒状のケース１０２と、ケース１０２に対する軸心Ｃ回りの回転操作によりケース１０２に螺合されるキャップ１０３と、ケース１０２及びキャップ１０３の間に形成される濾過室Ｓ内に収容される濾材１１４と、を備えるオイルフィルタ１０１が一般に知られている（例えば、特許文献１参照）。このオイルフィルタ１０１では、ケース１０２の筒状部１０２ａの内周側に形成された雌ネジ部１０７に対してキャップ１０３の筒状部１０３ａの外周側に形成された雄ネジ部１０８が螺合される。さらに、キャップ１０３の筒状部１０３ａの外周側に形成された装着部１１７にケース１０２の筒状部１０２ａの内周面に圧接する環状のシール部材１１８が装着されている。そして、オイルフィルタ１０１の所定の使用期間の経過時には、ケース１０２からキャップ１０３を取り外して濾材１１４及びシール部材１１８を交換する必要がある。
【先行技術文献】
【特許文献】
【０００３】
【特許文献１】特開２００４−１６０３４８号公報
【発明の概要】
【発明が解決しようとする課題】
【０００４】
しかし、上記従来のオイルフィルタ１０１では、濾材１１４とシール部材１１８とが別体となっているため、両者１１４、１１８を別々に交換する必要があり、作業効率が悪い。また、シール部材１１８の交換忘れにより、キャップ１０３及びケース１０２の間のシール性能が低下してしまう可能性がある。さらに、上記従来のオイルフィルタ１０１では、キャップ１０３の筒状部１０３ａがケース１０２の筒状部１０２ａの内周側に螺合されるため、オイルフィルタ１０１の使用時に油圧がキャップ１０３及びケース１０２に直接的にかかり、キャップ１０３及びケース１０２が遠心方向に変形し易い。そのため、シール部材１１８のシール面が変形し易く、キャップ１０３及びケース１０２の間のシール性能が低下してしまう可能性がある。
【０００５】
本発明は、上記現状に鑑みてなされたものであり、濾材及びシール部材の交換時の作業効率を高め得るとともに、キャップ及びケースの間のシール性能の信頼性を高めることができるオイルフィルタ及び濾過エレメントを提供することを目的とする。
【課題を解決するための手段】
【０００６】
上記問題を解決するために、請求項１に記載の発明は、一端側が開口する有底筒状のケースと、前記ケースに対する軸心回りの回転操作により該ケースに締結されるキャップと、前記ケース及び前記キャップの間に形成される濾過室内に収容される濾過エレメントと、を備えるオイルフィルタであって、前記濾過エレメントは、その軸心が前記ケースの軸心に略一致して前記濾過室内に収容される筒状の濾材と、前記濾材の軸方向の前記キャップ側の端面側に該端面側を封止するように接合される濾材端板と、を備え、前記濾材端板の外周側に形成された装着部には、前記ケースの開口端側の内周面に圧接する環状のシール部材が装着されていることを要旨とする。
請求項２に記載の発明は、請求項１記載の発明において、前記キャップの筒状部の内周側には、締結部が形成され、前記ケースの筒状部の外周側には、前記締結部が締結する被締結部が形成されていることを要旨とする。
請求項３に記載の発明は、請求項１又は２に記載の発明において、前記濾材端板には、前記ケースから前記キャップを取り外したときに露出する位置に、前記ケース内から前記濾過エレメントを取り出すための取出し部が設けられていることを要旨とする。
【０００７】
上記問題を解決するために、請求項４に記載の発明は、一端側が開口する有底筒状のケースと、前記ケースに対する軸心回りの回転操作により該ケースに締結されるキャップと、を備えるオイルフィルタに使用され、前記ケース及び前記キャップの間に形成される濾過室内に収容される濾過エレメントであって、その軸心が前記ケースの軸心に略一致して前記濾過室内に収容される筒状の濾材と、前記濾材の軸方向の前記キャップ側の端面側に該端面側を封止するように接合される濾材端板と、を備え、前記濾材端板の外周側に形成された装着部には、前記ケースの開口端側の内周面に圧接する環状のシール部材が装着されていることを要旨とする。
【発明の効果】
【０００８】
本発明のオイルフィルタによると、濾過エレメントは、その軸心がケースの軸心に略一致して濾過室内に収容される筒状の濾材と、濾材の軸方向のキャップ側の端面側に該端面側を封止するように接合される濾材端板と、を備える。そして、濾材端板の外周側に形成された装着部には、ケースの開口端側の内周面に圧接する環状のシール部材が装着されている。これにより、濾材端板を介して濾材とシール部材とが一体化される。よって、キャップが取り外されたケースに対して、使用済みの濾材及びシール部材を備える濾材端板と新品の濾材及びシール部材を備える濾材端板とを入れ替えることで、濾材及びシール部材を同時に交換することができる。その結果、濾材及びシール部材の交換時の作業効率が高められる。さらに、シール部材の交換忘れが防止されるため、キャップ及びケースの間のシール性能の信頼性が高められる。
また、前記キャップの筒状部の内周側に、締結部が形成され、前記ケースの筒状部の外周側に、前記締結部が締結する被締結部が形成されている場合は、キャップの筒状部がケースの筒状部の外周側に締結されるため、オイルフィルタの使用時にキャップには油圧が直接的にかからない。そのため、ケースの筒状部の外周側でキャップの筒状部がリブ効果を発揮することとなり、ケースの遠心方向への変形が抑制される。その結果、シール部材のシール面の変形が抑制され、キャップ及びケースの間のシール性能の信頼性が更に高められる。
さらに、前記濾材端板には、前記ケースから前記キャップを取り外したときに露出する位置に、前記ケース内から前記濾過エレメントを取り出すための取出し部が設けられている場合は、取出し部に工具を係止したり、取出し部を把持したりすることで、ケース内から濾過エレメントを容易に取り出すことができる。
【０００９】
本発明の濾過エレメントによると、その軸心がケースの軸心に略一致して濾過室内に収容される筒状の濾材と、濾材の軸方向のキャップ側の端面側に該端面側を封止するように接合される濾材端板と、を備える。そして、濾材端板の外周側に形成された装着部には、ケースの開口端側の内周面に圧接する環状のシール部材が装着されている。これにより、濾材端板を介して濾材とシール部材とが一体化される。よって、キャップが取り外されたケースに対して、使用済みの濾材及びシール部材を備える濾材端板と新品の濾材及びシール部材を備える濾材端板とを入れ替えることで、濾材及びシール部材を同時に交換することができる。その結果、濾材及びシール部材の交換時の作業効率が高められる。さらに、シール部材の交換忘れが防止されるため、キャップ及びケースの間のシール性能の信頼性が高められる。
【図面の簡単な説明】
【００１０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るオイルフィルタの縦断面図である。
【図２】上記オイルフィルタの分解図である。
【図３】図１のＩＩＩ矢視部の拡大図である。
【図４】その他の形態に係るオイルフィルタの要部縦断面図である。
【図５】更にその他の形態に係るオイルフィルタの要部縦断面図である。
【図６】更にその他の形態に係るオイルフィルタの要部縦断面図である。
【図７】従来のオイルフィルタの縦断面図である。
【発明を実施するための形態】
【００１１】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
＜オイルフィルタ＞
本実施形態に係るオイルフィルタは、一端側が開口する有底筒状のケース（２、２’）と、ケースに対する軸心（Ｃ）回りの回転操作によりケースに締結されるキャップ（３、３’）と、ケース及びキャップの間に形成される濾過室（Ｓ）内に収容される濾過エレメント（４）と、を備えるオイルフィルタ（１）である（例えば、図１及び図２等参照）。そして、上記濾過エレメント（４）は、その軸心がケースの軸心（Ｃ）に略一致して濾過室（Ｓ）内に収容される筒状の濾材（１４）と、濾材の軸方向のキャップ側の端面側に該端面側を封止するように接合される濾材端板（１５）と、を備える。さらに、上記濾材端板（１５）の外周側に形成された装着部（１７）には、ケースの開口端側の内周面に圧接する環状のシール部材（１８）が装着されている。
【００１３】
本実施形態に係るオイルフィルタとしては、例えば、上記キャップ（３）の筒状部（３ａ）の内周側には、締結部（８）が形成され、ケース（２）の筒状部（２ａ）の外周側には、締結部が締結する被締結部（７）が形成されている形態（例えば、図１等参照）を挙げることができる。
【００１４】
上述の形態の場合、例えば、上記シール部材（１８）は、ケース（２）の被締結部（７）の内側でケース（２）の内周面に圧接することができる。これにより、キャップのリブ効果によりシール部材のシール面の変形がより確実に抑制される。
【００１５】
本実施形態に係るオイルフィルタとしては、例えば、上記濾材端板（１５）には、ケース（２、２’）からキャップ（３、３’）を取り外したときに露出する位置に、ケース（２）内から濾過エレメント（４）を取り出すための取出し部（１９、１９’）が設けられている形態（例えば、図１及び図５等参照）を挙げることができる。なお、上記「露出する位置」とは、ケースの外部から把持可能なように露出する位置を意図する。
【００１６】
上述の形態の場合、上記濾材端板（１５）の少なくとも取出し部（１９、１９’）を除く表面には、前記キャップ（３、３’）が当接している形態（例えば、図１等参照）を挙げることができる。これにより、濾過エレメントが適正に姿勢保持される。
【００１７】
本実施形態に係るオイルフィルタとしては、例えば、上記濾過エレメント（４）は、濾材（１４）の内側を支持する支持筒（２１）と、支持筒の軸方向のケース（２、２’）の底面側の一端側に装着されるチェックバルブ（２２）と、を備える形態（例えば、図１等参照）を挙げることができる。これにより、濾材及びシール部材に加えて、支持筒及びチェックバルブも同時に交換できる。
【００１８】
本実施形態に係るオイルフィルタとしては、例えば、上記濾過室（Ｓ）の濾過エレメント（４）で仕切られる上流室（Ｓａ）と下流室（Ｓｂ）との圧力差が所定値以上となったときに作動して圧力差を所定値未満とするリリーフ機構（５、３１）を備える形態（例えば、図３及び図６等参照）を挙げることができる。これにより、濾材の目詰まり等による濾過室の圧力上昇を防止できる。
【００１９】
＜濾過エレメント＞
本実施形態に係る濾過エレメントは、一端側が開口する有底筒状のケース（２、２’）と、ケースに対する軸心（Ｃ）回りの回転操作によりケースに締結されるキャップ（３、３’）と、を備えるオイルフィルタ（１）に使用され、ケース及びキャップの間に形成される濾過室（Ｓ）内に収容される濾過エレメント（４）である（例えば、図１及び図２等参照）。そして、その軸心がケースの軸心（Ｃ）に略一致して濾過室内に収容される筒状の濾材（１４）と、濾材の軸方向のキャップ側の端面側に該端面側を封止するように接合される濾材端板と（１５）、を備える。さらに、濾材端板（１５）の外周側に形成された装着部（１７）には、ケースの開口端側の内周面に圧接する環状のシール部材（１８）が装着されている。なお、本実施形態に係る濾過エレメントとしては、例えば、上記実施形態に係るオイルフィルタで説明した濾過エレメントの構成を適用したものを採用できる。
【００２０】
なお、上記実施形態で記載した各構成の括弧内の符号は、後述する実施例に記載の具体的構成との対応関係を示すものである。
【実施例】
【００２１】
以下、図面を用いて実施例により本発明を具体的に説明する。なお、本実施例では、エンジンオイルを濾過するオイルフィルタを例示する。
【００２２】
（１）オイルフィルタの構成
本実施例に係るオイルフィルタ１は、図１及び図２に示すように、一端側が開口する有底筒状で金属製のケース２と、ケース２に対する軸心Ｃ回りの回転操作によりケース２に螺合（締結）される金属製のキャップ３と、ケース２及びキャップ３の間に形成される濾過室Ｓ内に収容される濾過エレメント４と、を備えている。このオイルフィルタ１は、後述するリリーフ機構５を備えている。
【００２３】
上記ケース２の筒状部２ａの開口近傍の外周側には、雄ネジ部７（被締結部）が形成されている。また、上記キャップ３は、一端が開口する有底筒状に形成されている。このキャップ３の筒状部３ａの内周側には、雌ネジ部８（締結部）が形成されている。そして、ケース２に対してキャップ３を軸心Ｃ回りに回転操作することで、雄ネジ部７に雌ネジ部８が螺合される。すなわち、キャップ３の筒状部３ａは、ケース２の筒状部２ａの外周側に螺合される。
【００２４】
なお、上記濾過室Ｓは、濾過エレメント４により後述の濾材１４の外周側の上流室Ｓａ（濾過前の室）と濾材１４の内周側の下流室Ｓｂ（濾過後の室）とに仕切られている。また、ケース２の底面側には、上流室Ｓａに連なるオイル流入路１１及び下流室Ｓｂに連なるオイル流出路１２が形成されている。このオイル流入路１１は、オイル貯留部（例えば、オイルパン等）に接続され、オイル流出路１２は、エンジンの潤滑対象部（例えば、クランクシャフト、ピストン等）に接続されている。
【００２５】
上記濾過エレメント４は、濾材１４及び濾材端板１５を備えている。この濾材１４は、不織布製であり、ひだ折り筒状（「菊花筒状」とも称される。）に形成されている。また、濾材１４は、その軸心がケース２の軸心Ｃに略一致して濾過室Ｓ内に収容される。また、濾材端板１５は、樹脂製であり、円板状に形成されている。この濾材端板１５は、濾材１４の軸方向のキャップ３側の端面側に接着（接合）されている。具体的に、濾材端板１５は、濾材１４の端面側に接着層１６を介して接着されており、濾材１４の端面側を塞いでいる。
【００２６】
上記濾材端板１５の外周側には溝状の装着部１７が形成されている。この装着部１７には、Ｏリング等の弾性材からなる環状のシール部材１８が装着されている。そして、濾過エレメント４が濾過室Ｓ内に収容された状態で、シール部材１８は、ケース２の雄ネジ部７の内側（すなわち、球心側）でケース２の内周面に圧接している。
【００２７】
上記濾材端板１５には、ケース２からキャップ３を取り外したときに露出する位置に、ケース２内から濾過エレメント４を取り出すための取出し部１９が設けられている。この取出し部１９は、濾材端板１５の表面中央部から突出して設けられている。また、取出し部１９は、汎用工具（例えば、トルクレンチ等）にて引っ掛けることができるように縦断面略Ｕ字状に形成されている。さらに、濾材端板１５の少なくとも取出し部１９を除く表面には、キャップ３が当接している。
【００２８】
上記濾過エレメント４は、支持筒２１及びチェックバルブ２２を備えている。この支持筒２１は、濾材１４の内周側を支持している。また、支持筒２１には、オイルが通過する複数の貫通穴２１ａが形成されている。さらに、支持筒２１の軸方向のケース２の底面側の一端側にはフランジ部２１ｂが形成されている。このフランジ部２１ｂには、濾材１４の軸方向の端面側が接着層２３により接着（接合）されている。また、上記チェックバルブ２２は、弾性材からなり、全体として環状に形成されている。このチェックバルブ２２は、支持筒２１の一端側に装着される装着部２５と、オイル流入路１１の上方を覆うバルブ部２６と、を備えている。このバルブ部２６により、濾過室Ｓ内のオイルがオイル流入口１１へ逆流してしまうことが規制される（図３参照）。
【００２９】
上記リリーフ機構５は、図３に示すように、チェックバルブ２２に形成されたリップ部２７を備えている。このリップ部２７は、オイルフィルタ１の通常使用時に、支持筒２１の内周面に接触することで支持筒２１に形成された上流室Ｓａ及び下流室Ｓｂを連通する連通路２１ｃを閉鎖している。一方、リップ部２７は、濾材１４の目詰まり等により上流室Ｓａ及び下流室Ｓｂの圧力差が所定値以上となったときに、その圧力差により弾性変形して連通路２１ｃを開放する（図３中に仮想線で示す。）。その結果、上流室Ｓａ及び下流室Ｓｂの圧力差が所定値未満とされる。
【００３０】
（２）オイルフィルタの作用
次に、上記構成のオイルフィルタ１の作用について説明する。このオイルフィルタ１の所定の使用期間の経過時には、図２に示すように、ケース２からキャップ３を取り外した状態で、取出し部１９に工具を係止したり、取出し部１９を把持したりすることで、ケース２内から使用済みの濾材１４及びシール部材１８を備える濾材端板１５を取り出す。次いで、新品の濾材１４及びシール部材１８を備える濾材端板１５をケース２内に収容し、ケース２にキャップ３を取り付けることで、一連の交換作業が完了する。なお、オイルフィルタ１の通常使用時には、エンジンのオイル貯留部からオイルポンプにより吸い上げられたエンジンオイルは、オイル流入路１１から上流室Ｓａに流入して濾材１４でダスト等の異物が濾過されて下流室Ｓｂに至り、オイル流出路１２から潤滑対象部へ循環される（図１中に破線矢印で示す。）。
【００３１】
（３）実施例の効果
本実施例のオイルフィルタ１によると、濾過エレメント４は、その軸心がケース２の軸心Ｃに略一致して濾過室Ｓ内に収容される筒状の濾材１４と、濾材１４の軸方向のキャップ３側の端面側に該端面側を封止するように接合される濾材端板１５と、を備える。そして、濾材端板１５の外周側に形成された装着部１７には、ケース２の開口端側の内周面に圧接する環状のシール部材１８が装着されている。これにより、濾材端板１５を介して濾材１４とシール部材１８とが一体化される。よって、キャップ３が取り外されたケース２に対して、使用済みの濾材１４及びシール部材１８を備える濾材端板１５と新品の濾材１４及びシール部材１８を備える濾材端板１５とを入れ替えることで、濾材１４及びシール部材１８を同時に交換することができる。その結果、濾材１４及びシール部材１８の交換時の作業効率が高められる。さらに、シール部材１８の交換忘れが防止されるため、キャップ３及びケース２の間のシール性能の信頼性が高められる。
【００３２】
また、本実施例では、キャップ３の筒状部３ａの内周側には、締結部８が形成され、ケース２の筒状部２ａの外周側には、締結部８が締結する被締結部７が形成されている。これにより、キャップ３の筒状部３ａがケース２の筒状部２ａの外周側に締結されるため、オイルフィルタ１の使用時にキャップ３には油圧が直接的にかからない。そのため、ケース２の筒状部２ａの外周側でキャップ３の筒状部３ａがリブ効果を発揮することとなり、ケース２の遠心方向への変形が抑制される。その結果、シール部材１８のシール面の変形が抑制され、キャップ３及びケース３の間のシール性能の信頼性が更に高められる。
【００３３】
また、本実施例では、シール部材１８は、ケース２の被締結部７の内側でケース２の内周面に圧接する。これにより、キャップ３のリブ効果によりシール部材１８のシール面の変形がより確実に抑制される。
【００３４】
また、本実施例では、濾材端板１５には、ケース２からキャップ３を取り外したときに露出する位置に、ケース２内から濾過エレメント４を取り出すための取出し部１９が設けられている。これにより、取出し部１９に工具を係止したり、取出し部１９を把持したりすることで、ケース２内から濾過エレメント４を容易に取り出すことができる。
【００３５】
また、本実施例では、濾材端板１５の少なくとも取出し部１９を除く表面には、キャップ３が当接している。これにより、濾過エレメント４が適正に姿勢保持される。
【００３６】
また、本実施例では、濾過エレメント４は、濾材１４の内側を支持する支持筒２１と、支持筒２１の軸方向のケース２の底面側の一端側に装着されるチェックバルブ２２と、を備える。これにより、濾材１４及びシール部材１８に加えて、支持筒２１及びチェックバルブ２２も同時に交換できる。
【００３７】
さらに、本実施例では、濾過室Ｓの濾過エレメント４で仕切られる上流室Ｓａと下流室Ｓｂとの圧力差が所定値以上となったときに作動して圧力差を所定値未満とするリリーフ機構５を備える。これにより、濾材１４の目詰まり等による濾過室Ｓの圧力上昇を防止できる。
【００３８】
尚、本発明においては、上記実施例に限られず、目的、用途に応じて本発明の範囲内で種々変更した実施例とすることができる。すなわち、上記実施例では、ケース２及びキャップ３のうちの一方に形成された雄ネジ部９に他方に形成された雌ネジ部８を螺合させて両者２、３を締結するようにしたが、これに限定されず、例えば、ケース２及びキャップ３のうちの一方に形成されたらせん状溝に他方に形成された凸部を係合させて両者２、３を締結するようにしてもよい。
【００３９】
また、上記実施例では、キャップ３の筒状部３ａの内周側に形成された締結部８を、ケース２の筒状部２ａの外周側に形成された被締結部７に締結させるようにしたが、これに限定されず、例えば、図４に示すように、キャップ３’の筒状部３’ａの外周側に形成された締結部８’を、ケース２’の筒状部２ａ’の内周側に形成された被締結部７’に締結させるようにしてもよい。
【００４０】
また、上記実施例では、濾材端板１５の表面中央部に形成された凸状の取出し部１９を例示したが、これに限定されず、例えば、図５に示すように、濾材端板１５の外周側に形成された取出し部１９’とたり、凹状の取出し部１９’としたりしてもよい。
【００４１】
また、上記実施例では、チェックバルブ２２のリップ部２７を利用したリリーフ機構５を例示したが、これに限定されず、例えば、図６に示すように、ケース２の底面側に形成されるリリーフ機構３１としてもよい。具体的に、リリーフ機構３１は、オイル流入路１１とオイル流出路１２とを連絡する連絡路３２と、連絡路３２を開閉するように移動可能な弁体３３と、弁体３３を連絡路３２を閉鎖する方向に付勢する付勢部３４と、を備え、弁体３３は、上流室Ｓａ及び下流室Ｓｂの圧力差が所定値以上となったときに圧力差により付勢部３４の付勢力に抗して連絡路３２を開放する位置まで移動する。
【００４２】
また、上記実施例では、濾材１４の軸方向の一端側と濾材端板１５とを接着層１６にて接合するようにしたが、これに限定されず、濾材１４の軸方向の一端側と濾材端板１５とを溶着により接合したり、インサート成形により接合したりしてもよい。
【００４３】
また、上記実施例では、濾材１４、濾材端板１５、支持筒２１及びチェックバルブ２２を備える濾過エレメント４を例示したが、これに限定されず、例えば、少なくとも濾材１５及び濾材端板１５を備える濾過エレメントであればよい。
【００４４】
また、上記実施例において、上記ケース２、キャップ３、濾材１４、濾材端板１５及びシール部材１８等の材質、形状、大きさ等は特に問わない。上記ケース２、キャップ３及び濾材端板１５の材質としては、例えば、アルミニウムや鉄等の金属、ポリアミド樹脂等の樹脂、セラミックス等を挙げることができる。また、上記濾材１４の材質としては、例えば、不織布、織物、紙等を挙げることができる。また、上記濾材１４の形状としては、例えば、ひだ折り筒状、円筒状、角筒状等を挙げることができる。
【００４５】
さらに、上記実施例では、エンジンオイルを濾過するオイルフィルタを例示したが、これに限定されず、例えば、マシン油、スピンドル油、シリンダ油、油圧作動油、軸受油、ギヤ油、切削油等の工業用オイルを濾過するオイルフィルタとしてもよい。
【００４６】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４７】
本発明は上記で詳述した実施形態に限定されず、本発明の請求項に示した範囲で様々な変形または変更が可能である。
【産業上の利用可能性】
【００４８】
オイルを濾過する技術として広く利用される。特に、乗用車、バス、トラック等の他、汽車、電車等の鉄道車両、建設車両、農業車両、産業車両や航空機などの乗り物で使用されるエンジンオイルを濾過する技術として好適に利用される。
【符号の説明】
【００４９】
１；オイルフィルタ、２，２’；ケース、３，３’；キャップ、４；濾過エレメント、１４；濾材、１５；濾材端板、１７；装着部、１８；シール部材、１９，１９’；取出し部、Ｃ；軸心、Ｓ；濾過室。
【図１】
2016016381.tif 000003
【図２】
2016016381.tif 000004
【図３】
2016016381.tif 000005
【図４】
2016016381.tif 000006
【図５】
2016016381.tif 000007
【図６】
2016016381.tif 000008
【図７】
2016016381.tif 000009